(57)【要約】【課題】第１係合ユニットの破損や変形を低減可能なシート支持装置及びこれを備えた画像形成装置を提供する。【解決手段】筐体と、シートを支持する収納部本体と、収納部本体に取り付けられる引込アーム部３と、を有し、筐体に対して装着及び引き出し可能な収納部と、筐体に設けられ、引込アーム部３に係合した状態で収納部を筐体に装着される装着位置に向けて引き込む引込装置と、を備え、収納部本体は、シートが載置される載置面を有し、引込アーム部３の少なくとも一部は、収納部本体に対して載置面に垂直な垂直方向に移動可能である。引込アーム部３に対して外力が作用した場合、引込アーム部３が垂直方向に退避し、引込アーム部３の破損や変形を低減できる。【選択図】図４
2020083628.tif 000002
【特許請求の範囲】
【請求項１】
装置本体と、
シートを支持するシート支持部と、前記シート支持部に取り付けられる第１係合ユニットと、を有し、前記装置本体に対して装着及び引き出し可能なシート支持手段と、
前記装置本体に設けられ、前記第１係合ユニットに係合した状態で前記シート支持手段を前記装置本体に装着される装着位置に向けて引き込む第２係合ユニットと、を備え、
前記シート支持部は、シートが載置される載置面を有し、
前記第１係合ユニットの少なくとも一部は、前記シート支持部に対して前記載置面に垂直な垂直方向に移動可能である、
ことを特徴とするシート支持装置。
【請求項２】
前記第１係合ユニットは、第１係合部を有し、
前記第２係合ユニットは、前記第１係合部に係合する第２係合部と、前記第２係合部が前記第１係合部に係合した状態で前記シート支持手段が前記装着位置に向けて引き込まれるように、前記第２係合部を付勢する引込付勢部と、を有し、
前記第１係合部は、前記シート支持部に対して前記垂直方向に移動可能である、
ことを特徴とする請求項１に記載のシート支持装置。
【請求項３】
前記第１係合ユニットは、前記シート支持手段の挿入方向及び前記垂直方向に直交する方向に延びる揺動軸を中心に揺動可能なホルダを有し、
前記第１係合部は、前記ホルダに固定される、
ことを特徴とする請求項２に記載のシート支持装置。
【請求項４】
前記第１係合ユニットの全ては、前記ホルダが前記揺動軸を中心に揺動することで、前記シート支持部の底板を水平面上に投影した領域の内側の位置まで移動可能である、
ことを特徴とする請求項３に記載のシート支持装置。
【請求項５】
前記第１係合ユニットは、前記シート支持部に対して前記垂直方向に移動不能であり、かつ前記第１係合部を前記垂直方向に移動可能に支持するホルダを有する、
ことを特徴とする請求項２に記載のシート支持装置。
【請求項６】
前記第１係合ユニットは、前記シート支持部に対して前記垂直方向にスライド可能に支持されるホルダを有し、
前記第１係合部は、前記ホルダに固定される、
ことを特徴とする請求項２に記載のシート支持装置。
【請求項７】
前記ホルダは、前記シート支持部に対して前記垂直方向に延びる軸を中心に揺動可能に支持される、
ことを特徴とする請求項３乃至６のいずれか１項に記載のシート支持装置。
【請求項８】
前記第１係合部は、外力が作用していない状態で待機位置に位置し、前記第１係合部に前記垂直方向の成分を含む外力が作用することで前記待機位置から前記垂直方向に移動可能である、
ことを特徴とする請求項２乃至７のいずれか１項に記載のシート支持装置。
【請求項９】
前記第１係合部を前記待機位置に付勢する付勢部を備える、
ことを特徴とする請求項８に記載のシート支持装置。
【請求項１０】
前記垂直方向は、上下方向であり、
前記第１係合部は、前記待機位置において前記シート支持部の底板よりも下方に突出しており、前記待機位置よりも上方に移動可能である、
ことを特徴とする請求項８又は９に記載のシート支持装置。
【請求項１１】
前記第２係合ユニットは、前記シート支持部に対して上下方向においてオーバーラップするように配置される、
ことを特徴とする請求項１０に記載のシート支持装置。
【請求項１２】
請求項１乃至１１のいずれか１項に記載のシート支持装置と、
前記シート支持装置から給送されたシートに画像を形成する画像形成部と、を備える、
ことを特徴とする画像形成装置。
【発明の詳細な説明】
【技術分野】
【０００１】
本発明は、シートを支持するシート支持装置及びこれを備える画像形成装置に関する。
【背景技術】
【０００２】
従来、プリンタ本体と、プリンタ本体に対して着脱自在に装着される給紙カセットと、給紙カセットをプリンタ本体に装着させるように引き込む引き込み装置と、を備えたプリンタが提案されている（特許文献１参照）。引き込み装置は、給紙カセットに設けられた係止ピンをトグルバネの付勢力によって引き込むことで、給紙カセットをプリンタ本体に装着させる。係止ピンは、給紙カセットに設けられたピン保持アームによって左右方向に回動可能に支持されている。
【先行技術文献】
【特許文献】
【０００３】
【特許文献１】特開２００６−１５１６８７号公報
【発明の概要】
【発明が解決しようとする課題】
【０００４】
しかしながら、特許文献１に記載の係止ピンは、給紙カセットの背面から突出して設けられると共に、給紙カセットに対して鉛直方向には移動可能に設けられていない。このため、給紙カセットをプリンタ本体から全て引き出して、例えば作業台に給紙カセットを載せる場合に、作業台並びに作業台上の載置物に係止ピンが衝突する可能性がある。この時、係止ピンに対して鉛直方向の荷重が作用すると、係止ピンが破損する虞がある。
【０００５】
そこで、本発明は、第１係合ユニットの破損や変形を低減し、上述した課題を解決したシート支持装置及びこれを備えた画像形成装置を提供することを目的とする。
【課題を解決するための手段】
【０００６】
本発明は、シート支持装置において、装置本体と、シートを支持するシート支持部と、前記シート支持部に取り付けられる第１係合ユニットと、を有し、前記装置本体に対して装着及び引き出し可能なシート支持手段と、前記装置本体に設けられ、前記第１係合ユニットに係合した状態で前記シート支持手段を前記装置本体に装着される装着位置に向けて引き込む第２係合ユニットと、を備え、前記シート支持部は、シートが載置される載置面を有し、前記第１係合ユニットの少なくとも一部は、前記シート支持部に対して前記載置面に垂直な垂直方向に移動可能である、ことを特徴とする。
【発明の効果】
【０００７】
本発明によると、第１係合ユニットに垂直方向の負荷が作用しても、第１係合ユニットの破損や変形を低減できる。
【図面の簡単な説明】
【０００８】
【図１】第１の実施の形態に係るプリンタを示す全体概略図。
【図２】収納部を引き出した状態のプリンタを示す斜視図。
【図３】（ａ）は掴み部材の窪部に係止ピンが接触した状態を示す模式図、（ｂ）は係止ピンが窪部を押し込んでいる状態を示す模式図、（ｃ）は収納部が装着位置に位置した際の係止ピンの位置を示す模式図。
【図４】（ａ）は引込アーム部を示す斜視図、（ｂ）は引込アーム部を示す断面図、（ｃ）は引込アーム部が押し上げられた状態を示す斜視図。
【図５】（ａ）は収納部が装着位置に位置する状態を示す側面図、（ｂ）は引込アーム部の配置を説明するための側面図、（ｃ）は引込アーム部が押し上げられた状態を示す側面図。
【図６】（ａ）は変形例に係る引込装置の配置を示す側面図、（ｂ）は本実施の形態における引込装置の配置を示す側面図。
【図７】（ａ）は引込アーム部が載置物に接触する直前の状態を示す側面図、（ｂ）は押し上げられた引込アーム部の位置を示す側面図。
【図８】（ａ）は第２の実施の形態に係る引込アーム部を示す斜視図、（ｂ）は引込アーム部を示す断面図、（ｃ）は係止ピンが押し上げられた状態を示す断面図。
【図９】（ａ）は第３の実施の形態に係る引込アーム部を示す斜視図、（ｂ）は引込アーム部を示す断面図、（ｃ）は引込アーム部が押し上げられた状態を示す断面図。
【発明を実施するための形態】
【０００９】
＜第１の実施の形態＞
以下、図面に沿って第１の実施形態について説明する。なお、以下の説明において、画像形成装置を正面から視た状態（図１の視点）を基準にして上下左右及び手前奥の位置関係を表すものとする。
【００１０】
［全体構成］
まず、第１の実施の形態について説明する。画像形成装置としてのプリンタ１は、電子写真方式のレーザビームプリンタである。プリンタ１は、図１に示すように、プリンタ本体１００と、プリンタ本体１００の下部に連結され、シートが積載されるシート給送装置２００と、を備えている。
【００１１】
プリンタ本体１００は、シートＳを積載して支持する本体カセット１１１と、シートＳに画像を形成する画像形成部１０２と、シートＳに画像を定着させる定着部９６と、排出ローラ対１２０と、を備えている。プリンタ本体１００の上部には、排出ローラ対１２０によって排出されたシートＳが積載される排出トレイ１２１が設けられている。
【００１２】
画像形成部１０２は、レーザスキャナ３１と、４個のプロセスカートリッジ３２Ｙ，３２Ｍ，３２Ｃ，３２Ｋと、中間転写ベルト３３と、を備えた、いわゆる４ドラムフルカラー方式の画像形成部である。これらプロセスカートリッジ３２Ｙ，３２Ｍ，３２Ｃ，３２Ｋは、それぞれイエロー（Ｙ）、マゼンタ（Ｍ）、シアン（Ｃ）及びブラック（Ｋ）の各色のトナー画像を形成し、トナー画像の色以外は同様の構成である。このため、プロセスカートリッジ３２Ｙの構成のみを説明し、他のプロセスカートリッジ３２Ｍ，３２Ｃ，３２Ｋの説明は省略する。プロセスカートリッジ３２Ｙは、感光ドラム３４と、帯電ローラ３５と、現像ローラ３６と、を有している。画像形成部１０２の上方には、各色のトナーを収容したトナーカートリッジ３７Ｙ，３７Ｍ，３７Ｃ，３７Ｋが、プリンタ本体１００に対して着脱自在に装着されている。
【００１３】
中間転写ベルト３３は、駆動ローラ３３ａ、２次転写対向ローラ３３ｂ及びテンションローラ３３ｃに巻き掛けられており、４つのプロセスカートリッジ３２Ｙ，３２Ｍ，３２Ｃ，３２Ｋの下方に配置されている。中間転写ベルト３３は、各プロセスカートリッジ３２Ｙ，３２Ｍ，３２Ｃ，３２Ｋの感光ドラムに接触するように配置されると共に、駆動ローラ３３ａによって、反時計回り方向に回転駆動される。また、中間転写ベルト３３の内側には、各感光ドラムと対向する位置において中間転写ベルト３３の内周面に当接する４つの１次転写ローラ３８Ｙ，３８Ｍ，３８Ｃ，３８Ｋが設けられている。更に、画像形成部１０２は、２次転写対向ローラ３３ｂと対向する位置において中間転写ベルト３３の外周面に当接する２次転写ローラ３９を備えている。
【００１４】
シート給送装置２００は、左右２段のデッキタイプの収納部６１ａ，６１ｂを有している。これら収納部６１ａ，６１ｂ及びその周辺構成はほぼ同一構成であるため、以下では、左右２段の収納部６１ａ，６１ｂの任意の一方を収納部６１として説明する。図１及び図２に示すように、シート支持手段としての収納部６１は、シート給送装置２００の筐体２００ａに対して装着及び引き出し可能に設けられている。装置本体としての筐体２００ａには、収納部６１の挿入方向に平行に延びるガイドレール６３が一対設けられ、収納部本体６０の側面には、複数の支持ローラ６２が回転可能に支持されている。支持ローラ６２がガイドレール６３を転動することで、収納部６１は筐体２００ａに対して挿入及び引き出される。
【００１５】
収納部６１は、シートＳを支持するシート支持部としての収納部本体６０と、収納部本体６０の後壁６４に取り付けられる第１係合ユニットとしての引込アーム部３と、を有している。また、筐体２００ａには、引込アーム部３に係合した状態で収納部６１を装着位置に向けて引き込む引込装置４が取り付けられている。筐体２００ａと、収納部６１と、引込アーム部３と、引込装置４と、はシート支持装置６００を構成している。引込アーム部３及び引込装置４については、後ほど詳述する。収納部本体６０には、シートＳを載置面５２ａにおいて載置すると共に、不図示のワイヤによって昇降可能なリフト板５２が設けられている。
【００１６】
次に、このように構成されたプリンタ本体１００の画像形成プロセスについて説明する。不図示のパソコン等から送信された画像データがレーザスキャナ３１に入力されると、レーザスキャナ３１から、画像データに対応したレーザ光が、プロセスカートリッジ３２Ｙの感光ドラム３４上に照射される。
【００１７】
このとき感光ドラム３４は、帯電ローラ３５により表面が予め所定の極性・電位に一様に帯電されており、レーザスキャナ３１からレーザ光が照射されることによって表面に静電潜像が形成される。感光ドラム３４に形成された静電潜像は、現像ローラ３６により現像され、感光ドラム３４上にイエロー（Ｙ）のトナー像が形成される。
【００１８】
同様にして、プロセスカートリッジ３２Ｍ，３２Ｃ，３２Ｋの各感光ドラムにもレーザスキャナ３１からレーザ光が照射され、各感光ドラムにマゼンタ（Ｍ）、シアン（Ｃ）及びブラック（Ｋ）のトナー像が形成される。各感光ドラム上に形成された各色のトナー像は、１次転写ローラ３８Ｙ，３８Ｍ，３８Ｃ，３８Ｋにより中間転写ベルト３３に転写され、駆動ローラ３３ａによって回転する中間転写ベルト３３により２次転写ローラ３９まで搬送される。なお、各色の画像形成プロセスは、中間転写ベルト３３上に１次転写された上流のトナー像に重ね合わせるタイミングで行われる。
【００１９】
この画像形成プロセスに並行して、プリンタ本体１００の本体カセット１１１、又はシート給送装置２００の収納部６１に積載されて支持されたシートＳは、ピックアップローラ５４により給送方向へ給送される。そして、ピックアップローラ５４によって給送されたシートＳは、フィードローラ５５及び分離ローラ５６により１枚ずつに分離され、レジストレーションローラ対５７に向けて搬送される。シートＳは、回転停止状態のレジストレーションローラ対５７のニップに突き当たることでループが形成され、斜行が補正される。
【００２０】
レジストレーションローラ対５７は、画像形成タイミングに同期して駆動し、シートＳは、２次転写ローラ３９に搬送される。２次転写ローラ３９に搬送されたシートＳは、２次転写ローラ３９に印加された２次転写バイアスによって、中間転写ベルト３３上のフルカラーのトナー像が転写される。トナー像が転写されたシートＳは、定着部９６によって所定の熱及び圧力が付与されて、トナーが溶融固着することによりトナー像が定着される。定着部９６を通過したシートＳは、排出ローラ対１２０によって排出トレイ１２１に排出される。
【００２１】
［引込装置４］
次に、図３（ａ）乃至図３（ｃ）を参照して、第２係合ユニットとしての引込装置４について詳述する。引込装置４は、図３（ａ）に示すように、枠体２１０と、枠体２１０に対して回動軸２１２を中心に回動可能に支持される揺動アーム２１１と、揺動アーム２１１の先端部に取り付けられた掴み部材２１７と、を有している。また、引込装置４は、枠体２１０に設けられる軸２１４に一端が接続され、揺動アーム２１１に設けられる軸２１５に他端が接続されるトグルバネ２１３を有している。引込付勢部としてのトグルバネ２１３は、揺動アーム２１１の揺動に伴って、軸２１４を支点として回動する。
【００２２】
枠体２１０には、ガイド溝２１６が形成されており、引込アーム部３の第１係合部としての係止ピン２０３は、ガイド溝２１６に沿って案内される。第２係合部としての掴み部材２１７は、係止ピン２０３に係合可能な窪部２１７ａを有している。掴み部材２１７は、収納部６１が引出された状態では、図３（ａ）に示すように、トグルバネ２１３の作用によって受入位置に位置決めされており、この時、窪部２１７ａは、ガイド溝２１６に案内される係止ピン２０３を受け入れ可能である。
【００２３】
収納部６１が筐体２００ａ（図２参照）から引き出された状態から、装着位置に向けて押込み操作されると、図３（ａ）に示すように、掴み部材２１７の窪部２１７ａに係止ピン２０３が接触する。そして、更に収納部６１が押込み操作されると、係止ピン２０３によって窪部２１７ａが押圧され、トグルバネ２１３の付勢力に抗して揺動アーム２１１が回動軸２１２を中心に回動する。図３（ｂ）に示すように、軸２１４，２１５及び回動軸２１２が一直線上に並ぶと、トグルバネ２１３は、揺動アーム２１１に付勢力を作用しない中立位置になる。
【００２４】
この状態から更に収納部６１が押込み操作されると、トグルバネ２１３は、掴み部材２１７、揺動アーム２１１及び係止ピン２０３を介して、収納部６１を装着位置に向けて引き込むように付勢する。そして、図３（ｃ）に示すように、収納部６１が装着位置に位置した状態でも、トグルバネ２１３は、収納部６１に対して付勢力を付与している。これにより、収納部６１は、安定して装着位置を維持し、シートＳを適切な位置で給送することができる。
【００２５】
［引込アーム部］
次に、図４（ａ）乃至図７（ｂ）を参照して、引込アーム部３について詳述する。引込アーム部３は、収納部本体６０の後壁６４に取り付けられている。引込アーム部３は、水平揺動アーム２０１と、垂直揺動アーム２０２と、係止ピン２０３と、付勢バネ２０６と、垂直アーム軸２０４と、水平アーム軸２０５と、を有している。
【００２６】
軸としての水平アーム軸２０５は、鉛直方向に延びていると共に後壁６４に配設されており、水平揺動アーム２０１に設けられた軸孔２０１ａに挿入されている。水平揺動アーム２０１は、水平アーム軸２０５を中心に、水平方向に揺動可能に支持されている。これにより、後述する係止ピン２０３も水平方向に揺動可能となり、係止ピン２０３と掴み部材２１７の窪部２１７ａとの相対的な位置誤差を吸収する役割を果たす。
【００２７】
水平揺動アーム２０１には、水平方向に延びる軸孔２０１ｂが形成されており、垂直揺動アーム２０２にも、軸孔２０２ａが形成されている。これら軸孔２０１ｂ，２０２ａには、垂直アーム軸２０４が挿入されており、垂直揺動アーム２０２は、揺動軸としての垂直アーム軸２０４を中心に、鉛直方向、すなわち上下方向に揺動可能である。垂直アーム軸２０４は、シートの挿入方向及び上下方向に直交する方向に延びている。ホルダとしての垂直揺動アーム２０２の先端部には、ピン孔２０２ｂが形成されており、ピン孔２０２ｂには、係止ピン２０３が固定されている。
【００２８】
なお、以下の説明では、プリンタ１が水平な載置面に載置された状態で、鉛直方向や上下方向を用いて説明し、リフト板５２の載置面５２ａ（図１参照）に垂直な垂直方向を鉛直方向及び上下方向とする。しかしながら、これに限定されず、例えば収納部６１を筐体２００ａから引き抜いた状態では、垂直揺動アーム２０２は、載置面５２ａに垂直な方向に揺動可能である。また、ワイヤで昇降されるリフト板５２に限らず、ギヤ等によって昇降する中板の載置面を基準にしてもよい。
【００２９】
付勢部としての付勢バネ２０６は、垂直アーム軸２０４の周りに配置されたねじりコイルバネであり、垂直揺動アーム２０２を下方に向けて付勢している。垂直揺動アーム２０２は、図４（ｂ）に示すように、突き当て部２０２ｃを有しており、突き当て部２０２ｃが水平揺動アーム２０１に設けられたストッパ部２０１ｃに突き当たることで、下方への揺動が規制される。そして、垂直揺動アーム２０２は、付勢バネ２０６の付勢力及び突き当て部２０２ｃとストッパ部２０１ｃとの接触により、水平方向に長手となるように位置決めされている。
【００３０】
つまり、垂直揺動アーム２０２に固定される係止ピン２０３は、外力が作用していない無負荷状態では、付勢バネ２０６の付勢力によって図４（ｂ）に示す待機位置に位置している。一方で、係止ピン２０３は、図４（ｃ）に示すように、下方から上方へ向けて外力が作用すると、上方へ揺動する。係止ピン２０３又は垂直揺動アーム２０２に対する外力が解除されると、係止ピン２０３は待機位置に復帰する。
【００３１】
本実施の形態では、図５（ａ）に示すように、引込装置４によって収納部６１が引き込まれ、収納部６１が装着位置に位置した状態で、収納部６１の後部に設けられる接触部６５と筐体２００ａ（図２参照）の側板７０１とが接触する。これにより、収納部６１は、装着位置に位置決めされる。
【００３２】
この場合、引込装置４が収納部６１を引き込む引込力により、引込アーム部３が取り付けられる後壁６４が弾性変形する虞がある。後壁６４が弾性変形すると、収納部６１内のシートＳの位置が不安定になり、画像品質へ影響を及ぼす可能性がある。このため、引込アーム部３は、収納部６１のなるべく剛性が高い箇所に取り付けられることが好ましく、上方が開いた箱形状の収納部本体６０においては、収納部本体６０の底板６６に近い位置に取り付けられるのが好適である。
【００３３】
したがって、本実施の形態の引込アーム部３は、図５（ｂ）に示すように、無負荷状態において、収納部６１の底板６６の水平方向に延びる延長平面７０２に重なる位置に配置されている。係止ピン２０３は、延長平面７０２よりも下方に突出している。すなわち、係止ピン２０３は、底板６６よりも下方に突出している。
【００３４】
図６（ａ）は、変形例としての引込アーム部３を示し、図６（ｂ）は、本実施の形態の引込アーム部３を示す。図６（ａ）に示すように、引込アーム部３を底板６６に近接し、引込アーム部３の係止ピン２０３を上方に向けて突出するように配置すると、収納部本体６０と引込装置４とが鉛直方向において重なって配置される。一方で、図６（ｂ）に示すように、引込アーム部３の係止ピン２０３を下方に向けて突出するように配置すると、収納部本体６０と引込装置４とが鉛直方向においてオーバーラップして配置できる。
【００３５】
図６（ｂ）のように引込装置４及び引込アーム部３を配置することで、筐体２００ａ（図２参照）の側板７０１と収納部６１の後壁６４とを、図６（ａ）のものに対して距離ｄだけ近づけることができる。このため、シート給送装置２００を小型化することができる。
【００３６】
また、図５（ｂ）に示すように、係止ピン２０３は、上方に揺動可能な垂直揺動アーム２０２に固定されており、かつ無負荷状態において係止ピン２０３が底板６６よりも下方に突出して設けられている。このため、係止ピン２０３又は垂直揺動アーム２０２に上方の成分を含む外力が作用しても、係止ピン２０３及び垂直揺動アーム２０２は上方に揺動し、引込アーム部３の破損や変形を低減できる。
【００３７】
例えば、収納部６１を筐体２００ａ（図２参照）から引き抜いて、図５（ｃ）に示すように、作業台の作業面７０３に載置しても、係止ピン２０３が底板６６よりも上方に退避可能なので、係止ピン２０３の破損や変形を低減できる。また、図７（ａ）に示すように、作業面７０３に載置物９０１が載置されており、収納部６１を作業面７０３に載置するにあたって引込アーム部３が載置物９０１に接触しても、引込アーム部３は上方に揺動し、引込アーム部３の破損や変形を低減できる。
【００３８】
また、載置物９０１に接触して垂直揺動アーム２０２が揺動することで、図７（ｂ）に示すように、引込アーム部３の全ては、収納部６１の底板６６を水平面上に投影した領域７０の内側の位置まで移動可能である。すなわち、引込アーム部３の全ては、収納部６１の挿入方向ＩＤにおいて、底板６６の下流端６６ａよりも上流に位置可能である。これにより、引込アーム部３の破損や変形を低減できる。また、係止ピン２０３の強度を向上するために補強部材等の他の部材を追加する必要が無いので、コストダウンすることができる。
【００３９】
＜第２の実施の形態＞
次いで、本発明の第２の実施の形態について説明するが、第２の実施の形態は、第１の実施の形態の引込アーム部３の構成を変更したものである。このため、第１の実施の形態と同様の構成については、図示を省略、又は図に同一符号を付して説明する。
【００４０】
本実施の形態に係る第１係合ユニットとしての引込アーム部３Ｂは、図８（ａ）に示すように、水平揺動アーム３０１と、第１係合部としての係止ピン３０３と、付勢バネ３０７と、水平アーム軸２０５と、を有している。ホルダとしての水平揺動アーム３０１は、収納部本体６０（図２参照）に対して上下方向に移動不能であって、かつ水平アーム軸２０５を中心に、水平方向に揺動可能に支持されている。水平揺動アーム３０１の先端部には、図８（ｂ）に示すように、鉛直方向に延びるピン孔３０１ｂ，３０１ｂが形成されており、これらピン孔３０１ｂ，３０１ｂに係止ピン３０３が摺動可能に挿入されている。係止ピン３０３は、軸方向が上下方向になるように設けられており、かつ水平揺動アーム３０１によって上下方向に移動可能に支持されている。
【００４１】
係止ピン３０３には、バネ受け３０３ａが設けられており、バネ受け３０３ａと水平揺動アーム３０１の天面３０１ｃとの間には、付勢部としての付勢バネ３０７が配設されている。係止ピン３０３は、無負荷状態で図８（ｂ）のように付勢バネ３０７によって下方に付勢されており、バネ受け３０３ａがピン孔３０１ｂの縁部に引っかかることで係止ピン３０３は待機位置に位置決めされている。
【００４２】
係止ピン３０３に対して上方の成分を含む外力が作用すると、図８（ｃ）に示すように、係止ピン３０３が水平揺動アーム３０１に対して上方にスライド移動する。係止ピン３０３に対する外力が解除されると、係止ピン３０３は図８（ｂ）に示す待機位置に復帰する。これにより、係止ピン３０３の破損や変形を低減できる。
【００４３】
＜第３の実施の形態＞
次いで、本発明の第３の実施の形態について説明するが、第３の実施の形態は、第１の実施の形態の引込アーム部３の構成を変更したものである。このため、第１の実施の形態と同様の構成については、図示を省略、又は図に同一符号を付して説明する。
【００４４】
本実施の形態に係る第１係合ユニットとしての引込アーム部３Ｃは、図９（ａ）に示すように、水平揺動アーム４０１と、係止ピン２０３と、付勢バネ４０４と、水平アーム軸２０５と、スライダ部材４０３と、を有している。後壁６４には、窪部４０６が形成されており、スライダ部材４０３には、鉛直方向に延びる１対のスライド溝４０７が形成されている。
【００４５】
１対のスライド溝４０７には、窪部４０６の側端部が係合しており、スライダ部材４０３は、窪部４０６の側端部に沿って鉛直方向に移動可能である。スライダ部材４０３に設けられた軸受４０８には、水平アーム軸２０５が取り付けられている。水平揺動アーム４０１は、水平アーム軸２０５を中心に、水平方向に揺動可能に支持されている。
【００４６】
水平揺動アーム４０１の先端部には、ピン孔４０１ｂが形成されており、ピン孔４０１ｂには、係止ピン２０３が固定されている。すなわち、ホルダとしての水平揺動アーム４０１は、後壁６４に対して上下方向にスライド可能に支持されると共に、係止ピン２０３を固定している。スライダ部材４０３と後壁６４との間には、付勢部としての付勢バネ４０４が配設されており、付勢バネ４０４は、スライダ部材４０３を下方に付勢している。そして、スライダ部材４０３は、図９（ｂ）に示すように、無負荷状態では、窪部４０６の下端に当接することにより、位置決めされている。
【００４７】
引込アーム部３Ｃに上方の成分を含む外力が作用すると、図９（ｃ）に示すように、スライダ部材４０３が後壁６４に対して上方にスライド移動する。引込アーム部３Ｃに対する外力が解除されると、引込アーム部３Ｃは図９（ｂ）に示す状態に復帰する。これにより、係止ピン２０３を含む引込アーム部３Ｃの破損や変形を低減できる。
【００４８】
なお、既述のいずれの形態においても、引込装置のうちの特に係止ピンが上下方向に移動可能であることを説明したが、これに限定されない。引込装置のうちで外力が作用し得る部材であれば、係止ピンに限らず他の部材を上下方向に移動可能に設けてもよい。例えば、第１の実施の形態における垂直揺動アーム２０２や、第３の実施の形態における水平揺動アーム４０１も、収納部本体６０に対して上下方向に移動可能に設けられている。すなわち、引込装置の少なくとも一部を上下方向に移動可能に設ければよい。
【００４９】
また、既述のいずれの形態においても、デッキタイプの収納部を用いて説明したが、これに限定されない。例えば、カセットタイプの収納部にも本発明を適用可能である。
【００５０】
また、既述のいずれの形態においても、電子写真方式のプリンタ１を用いて説明したが、本発明はこれに限定されない。例えば、ノズルからインク液を吐出させることでシートに画像を形成するインクジェット方式の画像形成装置にも本発明を適用することが可能である。
【符号の説明】
【００５１】
１：画像形成装置／３，３Ｂ，３Ｃ：第１係合ユニット（引込アーム部）／４：第２係合ユニット（引込装置）／５２ａ：載置面／６０：シート支持部（収納部本体）／６１：シート支持手段（収納部）／６６：底板／７０：領域／１０２：画像形成部／２００ａ：装置本体（筐体）／２０２，３０１，４０１：ホルダ（垂直揺動アーム、水平揺動アーム）／２０３，３０３：第１係合部（係止ピン）／２０４：揺動軸（垂直アーム軸）／２０５：軸（水平アーム軸）／２０６，３０７，４０４：付勢部（付勢バネ）／２１３：引込付勢部（トグルバネ）／２１７：第２係合部（掴み部材）／６００：シート支持装置
【図１】
2020083628.tif 000003
【図２】
2020083628.tif 000004
【図３】
2020083628.tif 000005
【図４】
2020083628.tif 000006
【図５】
2020083628.tif 000007
【図６】
2020083628.tif 000008
【図７】
2020083628.tif 000009
【図８】
2020083628.tif 000010
【図９】
2020083628.tif 000011